(57)【要約】【課題】  １つのモータによって２種類の流体を送出する構造において、双方の流体が他方の側に漏洩することを容易に防止することができる流体ポンプを提供する。【解決手段】  ケース２の内部を透磁性を有する隔壁５により送液ポンプ室３と送気ファン室４に隔て、送液ポンプ室３には界磁磁石８を備えた第１ヨーク９を配置し、送気ファン室４には電機子１７と形成された第２ヨーク１８を配置することで、回転ヨーク型アキシャルギャップモータ２５を構成する。そして、第１ヨーク９にインペラ１０を連結し、第２ヨーク１８に対してファン１９を連結することで、送液ポンプ１Ａと送液ポンプ１Ｂとを構成する。【選択図】  図１
2005273617.tif 000002
【特許請求の範囲】
【請求項１】
本体内部を回転軸方向について第１空間と第２空間とに隔て、透磁性を有してなる隔壁と、
この隔壁より前記第１空間側と第２空間側とに夫々立設されるヨーク支持軸と、
前記２つの空間の何れか一方に配置されるステータと、
前記２つの空間の何れか一方に配置されると共に、界磁磁石が前記隔壁に対向する側に固定され、前記ヨーク支持軸によって回転自在に支持される板状の第１ヨークと、
この第１ヨークが配置される空間と異なる空間に配置され、前記ヨーク支持軸によって回転自在に支持される板状の第２ヨークとを備えて構成されるモータと、
前記第１ヨークに対して前記界磁磁石が固定されている側と反対側に連結され、前記２つの空間の一方を満たす流体を外部に送出するための第１回転翼と、
前記第２ヨークに対して、前記隔壁側と反対側に連結され、前記２つの空間の他方を満たす流体を外部に送出するための第２回転翼とを備えることを特徴とする流体ポンプ。
【請求項２】
第２ヨークは、第１ヨーク側の界磁磁石の磁極数と同数の凸部が、隔壁に対向する側に形成されていることを特徴とする請求項１記載の流体ポンプ。
【請求項３】
第２ヨークは、第１ヨーク側の界磁磁石の磁極数と同極数の界磁磁石を備えていることを特徴とする請求項１記載の流体ポンプ。
【請求項４】
前記第１ヨーク及び第１回転翼と、前記第２ヨーク及び第２回転翼とは夫々一体となるように構成されていることを特徴とする請求項１乃至３の何れかに記載の流体ポンプ。
【請求項５】
少なくとも何れか一方側の回転翼とヨークとは、連結，離脱が自在となるように構成されていることを特徴とする請求項１乃至３の何れかに記載の流体ポンプ。
【請求項６】
回転翼とヨークとを連結，離脱自在とする構成部分は、一端側が前記回転翼側に結合され、他端側が本体側に結合された形状記憶合金を用いて構成されていることを特徴とする請求項５記載の流体ポンプ。
【請求項７】
第１空間と第２空間とを夫々満たす流体の少なくとも一方は気体であり、
前記気体が満たされている側に配置されている回転翼は、増速機構を介してヨークに連結されていることを特徴とする請求項１乃至６の何れかに記載の流体ポンプ。
【請求項８】
第１空間と第２空間とを夫々満たす流体の少なくとも一方は液体であり、
前記液体が満たされている側に配置されているヨークは、ヨーク支持軸に対し、動圧流体軸受構造を介して回転自在に支持されていることを特徴とする請求項１乃至７の何れかに記載の流体ポンプ。
【請求項９】
請求項８記載の流体ポンプと、
この流体ポンプより送出される液体を循環させて冷却するための流体通路とを備え、
前記流体ポンプにおいて液体が満たされている側の本体外部に、動作に伴って顕著に発熱を生じる部分が接するように構成されていることを特徴とする電気機器。
【請求項１０】
流体ポンプは、液体を送出する側と異なる側で気体を送出するように構成され、
前記流体ポンプによって送出される気体が、液体が循環する流体通路の少なくとも一部を冷却する構造をなしていることを特徴とする請求項９記載の電気機器。
【請求項１１】
顕著に発熱を生じる部分がＣＰＵであることを特徴とする請求項９又は１０記載の電気機器。
【請求項１２】
請求項１乃至８の何れかに記載の流体ポンプと、
この流体ポンプの一方の側より送出される流体を搬送させるための第１流体通路と、
前記流体ポンプの他方の側より送出される流体を搬送させるための第２流体通路とを備えることを特徴とする電気機器。
【請求項１３】
請求項８記載の流体ポンプと、
この流体ポンプより送出される液体を循環させて冷却するための流体通路と、
前記液体が循環することで前記流体通路に伝達される熱を放散させるためのヒートシンクとを備え、
前記流体ポンプは、液体を送出する側とは異なる側で気体を送出するように構成され、
前記気体は前記ヒートシンクに対して送出されるように構成されることを特徴とする冷却装置。
【発明の詳細な説明】
【技術分野】
【０００１】
本発明は、気体や液体などの流体を循環させるための流体ポンプ、及びその流体ポンプを備えてなる電気機器並びに冷却装置に関する。
【背景技術】
【０００２】
特許文献１には、大型電算機などを対象とした冷却システムに用いる液冷式冷却装置が開示されている。この冷却装置では、送液ポンプと送風ファンとを同軸上に配置し、両者を１つの駆動モータに連結して同時に駆動する構成となっている。
【特許文献１】特開平６−１０４５８５号公報，図１
【発明の開示】
【発明が解決しようとする課題】
【０００３】
しかしながら、特許文献１の構成では、送液ポンプ側から送風ファン側に対する液体の漏洩を防止するため、回転機構部分に対してシール構造が必要となる。従って、構造が複雑化すると共に、モータの軸負荷が増大することになり出力低下を招いてしまう。その結果、要求される出力を満たすにはモータサイズを大型化しなければならなくなるという問題がある。
【０００４】
本発明は上記事情に鑑みてなされたものであり、その目的は、１つのモータによって２種類の流体を送出する構造において、双方の流体が他方の側に漏洩することを容易に防止することができる流体ポンプ、及びその流体ポンプを備えてなる電気機器並びに冷却装置を提供することにある。
【課題を解決するための手段】
【０００５】
上記目的を達成するため、請求項１記載の流体ポンプは、本体内部を回転軸方向について第１空間と第２空間とに隔て、透磁性を有してなる隔壁と、
この隔壁より前記第１空間側と第２空間側とに夫々立設されるヨーク支持軸と、
前記２つの空間の何れか一方に配置されるステータと、
前記２つの空間の何れか一方に配置されると共に、界磁磁石が前記隔壁に対向する側に固定され、前記ヨーク支持軸によって回転自在に支持される板状の第１ヨークと、
この第１ヨークが配置される空間と異なる空間に配置され、前記ヨーク支持軸によって回転自在に支持される板状の第２ヨークとを備えて構成されるモータと、
前記第１ヨークに対して前記界磁磁石が固定されている側と反対側に連結され、前記２つの空間の一方を満たす流体を外部に送出するための第１回転翼と、
前記第２ヨークに対して隔壁側と反対側に連結され、前記２つの空間の他方を満たす流体を外部に送出するための第２回転翼とを備えることを特徴とする。
【０００６】
即ち、本体内部の第１空間と第２空間とは、予め透磁性を有する隔壁によって完全に隔てられている。そして、界磁磁石が配置される第１ヨークは、第１空間，第２空間の何れに配置されていてもステータコイルに通電が行われればヨーク支持軸を回転中心として回転する。一方、その第１ヨークと異なる空間に配置される第２ヨークは、第１ヨークの界磁磁石が発生する磁力によって吸引されているため、第１ヨークが回転すれば、それに伴って同時に回転するようになる。
【０００７】
また、請求項９記載の電気機器は、請求項８記載の流体ポンプと、
この流体ポンプより送出される液体を循環させて冷却するための流体通路とを備え、
前記流体ポンプにおいて液体が満たされている側の本体外部に、動作に伴って発熱を生じる部分が接するように構成されていることを特徴とする。
斯様に構成すれば、流体ポンプと流体通路とによってヒートパイプが構成されるため、電気機器が動作することで発熱を生じた場合でも、効率的に冷却を行うことができる。そして、流体ポンプの他方の側で、例えば送風を行うようにすれば、発熱を生じる部分のみならず、より広い部分について冷却を行うことができる。
【０００８】
また、請求項１２記載の電気機器は、請求項１乃至８の何れかに記載の流体ポンプと、
この流体ポンプの一方の側より送出される流体を搬送させるための第１流体通路と、
前記流体ポンプの他方の側より送出される流体を搬送させるための第２流体通路とを備えることを特徴とする。
斯様に構成すれば、流体ポンプによって２種類の液体や２種類の気体、或いは液体と気体との組み合わせを、１つのモータによって夫々の流体通路に同時に搬送させることができる。
【０００９】
請求項１３記載の冷却装置は、請求項８記載の流体ポンプと、
この流体ポンプより送出される液体を循環させて冷却するための流体通路と、
前記液体が循環することで前記流体通路に伝達される熱を放散させるためのヒートシンクとを備え、
前記流体ポンプは、液体を送出する側とは異なる側で気体を送出するように構成され、
前記気体は前記ヒートシンクに対して送出されるように構成されることを特徴とする。
【００１０】
斯様に構成すれば、冷却装置の液体循環側に動作に伴い発熱が生じて冷却が必要となるものを接触させれば、その熱は、流体ポンプによって循環される液体（冷媒）に伝達される。液体に伝達された熱は、流体通路を循環する際にヒートシンク側に伝達され、そのヒートシンクは、同じ流体ポンプの異なる側によって送出された気体によって冷却される。従って、１つの流体ポンプで液体と気体とを同時に送出・循環させて、冷却が必要な発熱体を効率的に冷却することができる。
【発明の効果】
【００１１】
本発明によれば、１つの回転ヨーク型アキシャルギャップモータによって２つの空間に配置される２つの回転翼を同時に回転させることができると共に、複雑なシール構造を用いることなしに、各空間を夫々満たす２つの流体が互いの空間に漏洩することを確実に防止できる。
【発明を実施するための最良の形態】
【００１２】
（第１実施例）
以下、本発明を送液／送気一体型ポンプに適用した場合の第１実施例について図１乃至図４を参照して説明する。図１は、送液／送気一体型ポンプの断面構造図であり、図２（ａ）は、送液／送気一体型ポンプを送液側から見た外観斜視図、図２（ｂ）は、図２（ａ）よりカバーを取外した状態、図２（ｃ）は送液側から見た外観斜視図である。また、図３（ａ），（ｂ）は、向きを替えて示す分解斜視図である。
【００１３】
送液／送気一体型ポンプ１（以下、単にポンプ１と称す）は、略矩形状の外観を備えるケース２を有している。そのケース２は、図１中上下方向（回転軸方向）において円筒状に刳り貫かれた空間を、上下方向に送液ポンプ室３と送気ファン室４（図３参照）に隔てる隔壁５を備えている。尚、本体２は、透磁性を有する材質で構成されている。そして、隔壁５の中央部には、送液ポンプ室３，送気ファン室４側に夫々突出するようにヨーク支持軸６，７が立設されている。
【００１４】
送液ポンプ室３側には、中心に穴を有する円盤状の界磁磁石８，界磁磁石８を固定支持する磁性材よりなる第１ヨーク９，液体送出用のインペラ１０が配置される。尚、これらは貼り合わされており、第１ロータ１１として一体に構成されている（図４（ａ）参照）。図４（ａ）に示すように、界磁磁石８は、円板を８等分した各領域にＮ，Ｓ４極ずつ交互に配置されている。
【００１５】
インペラ１０は、周縁部分に翼１０ａが配置されており、中心部分には、ヨーク支持軸６の先端部分を上方側より覆う形状の支持軸受部１２を有している。その支持軸受部１２は、界磁磁石８及び第１ヨーク９の穴に嵌合した状態で下方側に突出している。ここで、ヨーク支持軸６の側面には溝が切ってあり（図示せず）、ヨーク支持軸６と支持軸受部１２とは、両者の隙間に液体が介在することにより動圧流体軸受構造をなしている。
【００１６】
そして、インペラ１０の上方には、第１空間３を閉じるためのカバー１３が取付けられる。カバー１３は、Ｏリング等のシール部材（図示せず）を介してケース２にねじ止めにより固着されている。図３（ａ）に示すように、カバー１３の下方側には、インペラ１０が回転した場合に翼１０ａによって撹拌される液体の流路を形成するため、円環上の溝１３ａが形成されている。また、ケース２の一辺には、第１空間３を外部と連通させて液体を夫々吸込み，吐出させるための吸込み口１４，吐出口１５が形成されており、カバー１３の溝１３ａは、それらの吸込み口１４，吐出口１５に対する部位が開放されている。
【００１７】
一方、送気ファン室４側には、やはり中心に穴を有する円盤状の回路基板１６、その回路基板１６上に搭載される巻線などを含む電機子１７、電機子１７に対向するように配置される円盤状の第２ヨーク１８、第２ヨーク１８に固定される送気用のファン（第２回転翼）１９が配置される。第２ヨーク１８は磁性材で構成されており、図４（ｂ）に示すように、隔壁５に対向する側に、第１ロータ１１における８個の界磁磁石８に夫々対応した形状をなす凸部１８ａが形成されている（若しくは、第２ヨーク１８を８等分するように溝１８ｂが形成されている）。
【００１８】
ファン１９の中心部には、第２ヨーク１８の穴に嵌合するように上方側に突出する凸部１９ａがあり、その凸部１９ａの内周側には軸受２０が配置されている。そして、第２ヨーク１８とファン１９とは第２ロータ２１として一体に構成され、軸受２０を介してヨーク支持軸７を回転中心として回転可能となっている。そして、ファン１９の下方には、円環状のファンカバー２２が取付けられており、ケース２の開口部は、外気の吸気口２３となっている。また、図２（ｃ）に示すように、送気ファン室４側のケース２の一辺には、送気ファン室４内の気体を外部に排気するための排気口２４が形成されている。
尚、以上において、電機子１７と、界磁磁石８及び第１ヨーク９，第２ヨーク１８は、回転ヨーク型アキシャルギャップモータ２５を構成している。
【００１９】
次に、本実施例の作用について説明する。電機子１７に通電が行われると、送液ポンプ室３側の第１ロータ１１が回転する。すると、インペラ１０が回転することで送液ポンプ室３内の液体は撹拌されるので、吸込み口１４より供給される液体は送液ポンプ室３内に吸い込まれ、吐出口１５より外部に吐出されるようになる。即ち、第１ロータ１１は、送液ポンプ１Ａとして機能する。
【００２０】
そして、第２ロータ２１の凸部１８ａは、透磁性を有する隔壁５を介して界磁磁石８の磁気吸引力によって吸引されているので、第１ロータ１１が回転すると、第２ロータ２１も同位相で回転するようになる。すると、外気は、吸気口２３より送気ファン室４内に吸込まれ、排気口２４より外部に排気される。即ち、第２ロータ２１は、送気ポンプ１Ｂとして機能する。
【００２１】
以上のように本実施例によれば、ケース２の内部を透磁性を有する隔壁５により送液ポンプ室３と送気ファン室４に隔て、送液ポンプ室３には界磁磁石８を備えた第１ヨーク９を配置し、送気ファン室４には電機子１７と形成された第２ヨーク１８を配置することで、回転ヨーク型アキシャルギャップモータ２５を構成した。そして、第１ヨーク９にインペラ１０を連結し、第２ヨーク１８に対してファン１９を連結することで、送液ポンプ１Ａと送液ポンプ１Ｂとを構成した。
【００２２】
従って、１つのアキシャルギャップモータ２５により、送液ポンプ室３と送気ファン室４とに夫々配置されるインペラ１０とファン１９とを同時に回転させることができ、複雑なシール構造を用いることなしに、各室３，４を夫々満たす液体，気体が互いの空間に漏洩することを確実に防止できる。そして、第２ヨーク１８に凸部１８ａを形成したので、第２ヨーク１８は、第１ヨーク側の８個の界磁磁石８が発生する磁束を、凸部１８ａを磁路として捉えることができる。従って、第１ロータ１１，第２ロータ２１は同位相で回転するようになり、回転効率が向上する。
【００２３】
また、第１ヨーク９及びインペラ１０と、第２ヨーク１８及びファン１９とを夫々一体にして第１ロータ１１，第２ロータ２１を構成したので、ポンプ１全体を小型に構成することができる。更に、第１ヨーク９を、ヨーク支持軸６と支持軸受部１２とで構成される動圧流体軸受構造を介して回転自在に支持したので、送液ポンプ室３に軸受を配置する際には必要となるシール構造が不要となり、送液ポンプ１Ａを簡単に構成することができる。
【００２４】
（第２実施例）
図５は本発明の第２実施例であり、第１実施例と同一部分には同一符号を付して説明を省略し、以下異なる部分についてのみ説明する。図５は、第１実施例の第２ロータ２１に代わる第２ロータ２６の斜視図であり、（ａ）はファン１９側から見た図、（ｂ）はヨーク側から見た図である。
【００２５】
この図５（ｂ）に示すように、第２ロータ２６は、第１実施例の第２ヨーク１８とは異なり、凸部１８ａがない円板状の第２ヨーク２７を有している。そして、第２ヨーク２７が隔壁５と対向する面側には、第１ロータ１１と同様の形状で、８つの界磁磁石２８が貼り付けられている。その他の構成は、第１実施例と同様であり、モータ２５の第２ヨーク１８を第２ヨーク２７に置き換えたものが回転ヨーク型アキシャルギャップモータを構成している。
【００２６】
次に、第２実施例の作用について説明する。第１ロータ１１と第２ロータ２６とは、前者の界磁磁石８のＮ，Ｓ極に対して後者の界磁磁石２８のＳ，Ｎ極が対向する位置関係で、両者は第１実施例よりも強力な磁気吸引力で引き付けあうことになる。そして、電機子１７に通電が行われた際に発生する磁力は、第１ロータ１１と第２ロータ２６との双方に作用し、両者は同位相で回転することになる。
以上のように第２実施例によれば、第２ロータ２６側にも界磁磁石２８を配置したので、モータはより大きな出力トルクを得ることができる。
【００２７】
（第３実施例）
図６及び図７は本発明の第３実施例を示すものであり、第１実施例と異なる部分についてのみ説明する。第３実施例では、第２ヨーク１８とファン１９とは一体に構成されておらず、両者は、増速機構３０を介して連結されている。即ち、第２ヨーク１８の図６（ｂ）中下方側には歯車３１が固定されており、ファン１９の対向側にも、図７（ｂ）に示すように歯車３２が固定されている。
【００２８】
ファンカバー３３の送気ファン室４側には、ファン支持軸３４が立設されており、ファン１９は、その中心部がファン支持軸３４に貫通され、内部の軸受３５を介して回転可能に支持される。そして、ファンカバー３３がケース２に取り付けられると、第２ヨーク１８側の歯車３１とファン１９側の歯車３２とは噛み合うようになっている。この場合、両者の歯数は、
（歯車３１の歯数）＞（歯車３２の歯数）
のような関係にあり、増速機構３０を構成している。
【００２９】
以上のように構成された第３実施例によれば、第２ヨーク１８とファン１９とを増速機構３０を介して連結したので、液体を撹拌するインペラ１０側よりも負荷が軽いファン１９側をより高速に回転させて、送気効率を向上させることができる。
【００３０】
（第４実施例）
図８乃至図１０は本発明の第４実施例を示すものであり、第３実施例と異なる部分についてのみ説明する。第４実施例では、第３実施例において増速機３０を介して連結した第２ヨーク１８とファン１９とを、必要に応じて連結，離脱が可能な構成としたものである。即ち、ファンカバー７０の外部には、ファン移動機構３６が配置されている。
【００３１】
図１０は、ファン移動機構３６を中心とする構造を示す断面図である。ファン移動機構３６は、機構本体３７の内部に、ファン支持軸体３８と、その軸体３８を機構本体３７の内部に沿って移動させるためのバイアスばね７１及び形状記憶合金ばね３９とで構成されている。ファン支持軸体３８は、ファン支持軸３８ａとその軸３８ａが設けられている基部３８ｂとで構成される。バイアスばね７１及び形状記憶合金ばね３９の一端は、機構本体３７の内部における長手方向両端に夫々固定されており、ばね７１及び３９の他端は、ファン支持軸体３８の基部３８ｂの両端に夫々固定されている。
【００３２】
次に、第４実施例の作用について説明する。図８に示すように、通常状態において形状記憶合金ばね３９は縮んだ状態にあり、ファン支持軸体３８は、バイアスばね７１の付勢力によって図８（ｂ）中左上側に位置した状態にある。この時、図８（ａ）に示すように、第２ヨーク１８の歯車３１と、ファン１９の歯車３２とは噛み合わない位置関係にあり、ファン１９は第２ヨーク１８より離脱した状態にある。
【００３３】
そして、必要に応じて例えば形状記憶合金ばね３９に通電を行いその温度を上昇させると、形状記憶合金ばね３９は、バイアスばね７１の付勢力に抗して伸びるように変形する。すると、ファン支持軸体３８は、図９（ｂ）中右下側に移動される。この時、図９（ａ）に示すように、第２ヨーク１８の歯車３１と、ファン１９の歯車３２とは噛み合う位置関係となり、ファン１９は第２ヨーク１８に結合した状態になる。
【００３４】
以上のように第４実施例によれば、ファン１９と第２ヨーク１８とを連結，離脱が自在となるように構成したので、ファン１９側は、必要な場合にのみ駆動することが可能となる。そして、ファン移動機構３６を、一端側がファン１９側であるファン支持軸体３８に結合され、他端側がケース側（固定側）である機構本体３７に結合された形状記憶合金ばね３９を用いて構成したので、形状記憶合金ばね３９の作用によりファン１９の連結，離脱を容易に行うことができる。
【００３５】
（第５実施例）
図１１及び図１２は本発明の第５実施例を示すものである。第５実施例は、本発明の流体ポンプをノート型のパーソナルコンピュータに内蔵されるＣＰＵの冷却装置に適用した場合を示す。図１１に示すように、パーソナルコンピュータ４０は、２つ折り状態で開閉可能な本体部４１とディスプレイ部４２とからなる。図１１では、本体部４１の内部を示しており、回路基板４３の図１１中左上隅部に配置されているＣＰＵ４４（図１２（ａ）参照）を冷却するため、ＣＰＵ４４のパッケージ上面に接する状態で冷却装置４５が配置されている。
【００３６】
冷却装置４５は、概ね矩形箱状の本体ケース４６を備え、その本体ケース４６の一方側に、第１実施例の流体ポンプ１と略同様の流体ポンプ４７が構成されている。図１２（ａ）は、冷却装置４５の裏面側、即ちＣＰＵ４４のパッケージと接する側を（その接した状態で）示しており、図１２（ｃ）は、裏面側のカバー４８を取り除いた状態を示している。流体ポンプ４７の裏面側は送液ポンプ４７Ａとなっており、本体ケース４６の流体ポンプ４７が配置されない側には、冷媒としての不凍液を循環させるための流体通路４９が溝状に形成されている。
【００３７】
図１２（ｂ）は、冷却装置４５の表面側を示す。流体ポンプ４７の表面側は送気ポンプ４７Ｂとなっており、本体ケース４６の流体ポンプ４７が配置されない側は、裏面側に形成されている流体通路４９を流通する冷媒を冷却するためのヒートシンク５０が形成されている。そして、本体ケース４６の送気ポンプ４７Ｂが配置されている部分は、ヒートシンク５０側の一辺が開口しており、排気口５１が形成されている。尚、本体ケース４６の内部より外部に導出されているのは、回路基板１６上の電機子１７等に対して給電を行なうための電源線や信号線などである。
【００３８】
図１１に示すように、冷却装置４５は、パーソナルコンピュータ（パソコン）４０の本体部４１内に配置され、本体ケース４６の吸気口５２より吸気された空気は、排気口５１を介してヒートシンク５０側に送風され、本体部４１に設けられている排気口５３を介してパソコン４０の外部に排気されるようになっている。
【００３９】
次に、第５実施例の作用について説明する。パソコン４０のＣＰＵ４４は、電源が投入されると数１００ＭＨｚ〜数ＧＨｚのクロック周波数で動作し、その動作に伴って発熱する。その状態を放置すると、パッケージ表面の温度は１００度を超える場合もあり、オーバーヒートによりＣＰＵ４４の正常な動作に支障を来たすおそれがある。そこで、ＣＰＵ４４のパッケージ表面に、冷却装置４５の本体ケース４６（液体循環側で且つ流体ポンプ４７側）を接触させて冷却を行う。
【００４０】
すると、ＣＰＵ４４が発生した熱は冷却装置４５内部の冷媒に伝達され、熱が伝達された冷媒は、送液ポンプ４７Ａによって流体通路４９に送出される。すると、冷媒が流体通路４９を循環する間に、冷媒が保持している熱は流体通路４９及びヒートシンク５０側に伝達されるので、流体通路４９を経て再び送液ポンプ４７Ａ側に流入する冷媒の温度は低下した状態となっている。
また、ヒートシンク５０に伝達された熱はそこから空気中に放散されるが、送気ポンプ４７Ｂがヒートシンク５０側に送風を行っているので、ヒートシンク５０の放熱効率は極めて良好となる。
【００４１】
以上のように第５実施例によれば、冷却装置４５を、送液ポンプ４７Ａ及び送気ポンプ４７Ｂが一体に構成された流体ポンプ４７と、送液ポンプ４７Ａより送出される冷媒を循環させて冷却するための流体通路４９と、流体通路４９に伝達される熱を放散させるためのヒートシンク５０とを備え、送気ポンプ４７Ｂが、ヒートシンク５０に対して送風を行うように構成した。そして、その冷却装置４５によってパソコン４０のＣＰＵ４４を冷却するようにした。従って、１つの流体ポンプ４７で冷媒と、気体とを同時に送出・循環させて、パソコン４０のＣＰＵ４４を効率的に冷却することができる。
【００４２】
（第６実施例）
図１３は本発明の第６実施例を示すものである。第６実施例は、本発明の流体ポンプを燃料電池に適用した場合を示す。図１３は、燃料電池５４の外観構成を示す斜視図である。燃料電池５４は、液体燃料タンク５５，流体ポンプ５６及び発電部５７で構成されている。液体燃料タンク５５は、例えばエタノールなどの液体燃料が貯蔵されており、その液体燃料は、燃料パイプ５８を介して流体ポンプ５６に供給される。流体ポンプ５６に供給された燃料は、流体ポンプ５６内部の送液ポンプ（図示せず）により送液パイプ５９を介して発電部５７に送出される。また、流体ポンプ５６には空気取入れ口６０が設けられており、内部の送気ポンプ（図示せず）が駆動することで吸気された空気は、送気パイプ６１を介して発電部５７に送出される。
【００４３】
そして、発電部５７に送出された原燃料としての液体燃料は水素を発生させる。発電部５７の内部では、発生した水素が空気中の酸素と結合することで水分子が合成されると共に電気エネルギーが発生することで、発電作用をなす。合成された水は、発電部５７に設けられた配水パイプ（図示せず）を介して外部に排出される。
以上のように構成された第６実施例によれば、本発明の流体ポンプ５６を、液体燃料と空気とを混合して発電作用をなす燃料電池５４に、極めて有効に適用することができる。
【００４４】
本発明は上記し且つ図面に記載した実施例にのみ限定されるものではなく、以下のような変形又は拡張が可能である。
流体ポンプが送出する流体の組み合わせは、気体／液体に限ることなく、夫々種類や用途が異なる気体同士、液体同士の組み合わせであっても良い。
液体を送出する側に配置されるヨークの回転機構は、必ずしも動圧流体軸受構造とするものに限らず、シール構造を備えた軸受を用いても良い。
【００４５】
また、回路基板や電機子をモールドするなどして、それらを送液側に配置しても良い。
第３実施例において、バイアスばね７１は、必要に応じて設ければ良い。
また、形状記憶合金ばね３９を伸ばすに当たっては、ばね３９本体に通電を行うものに限らず、周囲温度が上昇し設定温度に達すると自動的に伸びるような構成にしても良い。
第５実施例において、冷却装置の構造をパソコン４０に直接組み込んでも良い。
【００４６】
第５実施例における電気機器は、パソコン４０に限ることはなく、ＣＰＵ４４或いはその他の発熱体を備え、その冷却を行う必要があるものであれば、その他、ゲーム機やプラズマディスプレイなどでも良い。
また、第６実施例における電気機器も燃料電池５４に限ることなく、２種類の流体を同時に搬送する必要があるものであれば広く適用することができる。
【図面の簡単な説明】
【００４７】
【図１】本発明を送液／送気一体型ポンプに適用した場合の第１実施例であり、ポンプの断面構造を示す図
【図２】（ａ）は、送液／送気一体型ポンプを送液側から見た外観斜視図、（ｂ）は（ａ）よりカバーを取外した状態、（ｃ）は送液側から見た外観斜視図
【図３】ポンプの分解斜視図であり、（ａ）は図１における上方側、（ｂ）は同下方側より見た図
【図４】（ａ），（ｂ）は夫々第１，第２ロータの斜視図、
【図５】本発明の第２実施例を示す第２ロータの斜視図であり、（ａ）はファン１９側から見た図、（ｂ）はヨーク側から見た図
【図６】本発明の第３実施例であり、（ａ）は流体ポンプの外観斜視図、（ｂ）は図１相当図
【図７】（ａ）は第２ヨークの斜視図、（ｂ）はファン１９の斜視図、（ｃ）はファンカバーの斜視図
【図８】本発明の第４実施例であり、（ａ）は第２ヨークとファンとが離脱した状態をケース内部側から見た斜視図、（ｂ）は（ａ）の状態をファンカバー側から見た図
【図９】第２ヨークとファンとが連結した状態を示す図８相当図
【図１０】ファン移動機構を中心とする構造を示す断面図
【図１１】本発明の第５実施例であり、ノート型パーソナルコンピュータの本体内部を示す図
【図１２】（ａ）は冷却装置の裏面側を示す斜視図、（ｂ）は冷却装置の表面側を示す図、（ｃ）は（ａ）の裏面側カバーを取り除いた状態を示す図
【図１３】本発明の第６実施例であり、燃料電池の外観構成を示す斜視図
【符号の説明】
【００４８】
図面中、１は送液／送気一体型ポンプ（流体ポンプ）、１Ａは送液ポンプ、１Ｂは送気ポンプ、２はケース（本体）、３は送液ポンプ室（第１空間）、４は送気ファン室（第２空間）、５は隔壁、６はヨーク支持軸（動圧流体軸受）、７はヨーク支持軸、８は界磁磁石、９は第１ヨーク９，１０はインペラ（第１回転翼）、１１は第１ロータ、１２は係合部（動圧流体軸受）、１７は電機子（ステータ）、１８は第２ヨーク、１８ａは凸部、１８ｂは溝、１９はファン（第２回転翼）、２１は第２ロータ、２５は回転ヨーク型アキシャルギャップモータ、２６は第２ロータ、２７は第２ヨーク、２８は界磁磁石、３０は増速機構、３６はファン移動機構、３９は形状記憶合金ばね、４０はパーソナルコンピュータ（電気機器）、４４はＣＰＵ、４５は冷却装置、４７は流体ポンプ、４７Ａは送液ポンプ、４７Ｂは送気ポンプ、４９は流体通路、５０はヒートシンク、５４は燃料電池（電気機器）、５６は流体ポンプ、５９は送液パイプ（第１流体通路）、６１は送気パイプ（第２流体通路）を示す。
【図１】
2005273617.tif 000003
【図２】
2005273617.tif 000004
【図３】
2005273617.tif 000005
【図４】
2005273617.tif 000006
【図５】
2005273617.tif 000007
【図６】
2005273617.tif 000008
【図７】
2005273617.tif 000009
【図８】
2005273617.tif 000010
【図９】
2005273617.tif 000011
【図１０】
2005273617.tif 000012
【図１１】
2005273617.tif 000013
【図１２】
2005273617.tif 000014
【図１３】
2005273617.tif 000015